(57)【要約】【課題】アルミサッシ７などの板状物を１人で持って長い距離を安定した姿勢で運ぶことを可能にする吊下具１と板状物を運ぶ方法を得ることにある。【解決手段】受部２１ｄ、５１ｄと短冊状の２枚の突出部２１ｅ、５１ｅとにより切欠部２１ｆ、５１ｆを有する受面２１ｈ、５１ｈを構成し、受面２１ｈ、５１ｈと立上部２１ａ、５１ａと保持部２１ｂ、５１ｂを有する受具本体２１、５１に保護シート２２、５２と保護カバ２３、２４、５３を取り付けた受具２、８とする。受具２のベルト穴２１ｃにベルト４１を通して取り付けた吊ベルト４を有する吊下具１とする。吊下具１を肩から吊し、左手５の４本指５ｂと親指５ａとの間でアルミサッシ７の片方の辺部と受具２を一緒に保持し、右手６でアルミサッシ７の他方の辺部を掴み、左手５を下側にして右手６を上側に移動させてアルミサッシ７を反転させ、アルミサッシ７を吊下具１によって肩から吊下げた状態にして運ぶ。【選択図】図２
2008087961.tif 000002
【特許請求の範囲】
【請求項１】
概略長方形の受部と、前記受部の片方の長辺において前記受部に対して概略直角に交わる立上部と、前記受部の他方の長辺において前記受部から短冊状に突き出た２枚の突出部と、前記２枚の突出部の先端にそれぞれ設けた滑止部と、前記立上部の上部に設けた保持部と、前記保持部に設けたベルト穴とからなる受具本体であって、前記受部と前記突出部の上面により受面を構成し、前記受面は前記２枚の突出部の間に挟まれた空間である切欠部を有するものとしたことを特徴とする受具本体。
【請求項２】
概略長方形の受部と、前記受部の片方の長辺において前記受部に対して概略直角に交わる立上部と、前記受部の他方の長辺において前記受部から短冊状に突き出た２枚の突出部と、前記立上部の上部に設けた保持部と、前記保持部に設けたベルト穴とからなる受具本体であって、前記受部と前記突出部の上面により受面を構成し、前記受面は前記２枚の突出部の間に挟まれた空間である切欠部を有するものとしたことを特徴とする受具本体。
【請求項３】
請求項１又は請求項２のいずれかに記載した受具本体において受部を２分割し、分割した受部の立上部側を元受部とし、分割した受部の突出部側を先受部とし、前記元受部と前記先受部とを回転可能に取り付け、前記元受部と前記先受部とが同一の面に並び受部を構成した姿勢において、前記先受部が前記元受部に対して反受面側に回転しないように止めるストッパを取り付けたことを特徴とする受具本体。
【請求項４】
請求項１〜請求項３のいずれかに記載した受具本体において、保持部を立上部に対して傾斜させたことを特徴とする受具本体。
【請求項５】
請求項１〜請求項４のいずれかに記載した受具本体において、立上部の反受部側に引掛部を取り付けたことを特徴とする受具本体。
【請求項６】
請求項１〜請求項５のいずれかに記載した受具本体と、前記受具本体の受面と切欠部の両方を覆う保護シートと、前記受具本体の立上部の受部側の面に取り付けた保護カバとからなることを特徴とする受具。
【請求項７】
請求項６に記載した受具であって、保護シートを２本の切込を有する保護シートとしたことを特徴とする受具。
【請求項８】
請求項６又は請求項７のいずれかに記載した受具であって、保護カバをＵ字型に折り曲げた断面を有する保護カバとしたことを特徴とする受具。
【請求項９】
請求項１〜請求項５のいずれかに記載した受具本体と、前記受具本体の受面を覆う保護シートであってシート切欠部を有する保護シートと、前記受具本体の立上部の受部側の面に取り付けた保護カバと、前記受部の反受面側に取り付けた把持シートとからなる受具であって、前記把持シートの先端部を前記シート切欠部を貫通させて前記立上部と平行になるように折り曲げたときに、前記把持シートの先端が前記受面から２０ｍｍ以上前記立上部側に出るようにしたことを特徴とする受具。
【請求項１０】
請求項６〜請求項９のいずれかに記載した受具と、前記受具のベルト穴に取り付けた吊ベルトとからなることを特徴とする吊下具。
【発明の詳細な説明】
【技術分野】
【０００１】
本発明は、ガラス、サッシ、板、ベニヤ板、ボード、トタン板、鉄板、板状の石、畳、襖、扉及び引戸などの板状物を１人で運ぶときに使用する吊下具に関するものである。
【背景技術】
【０００２】
建築現場や倉庫などでは板状物を両手で持って１人で運ぶ作業が行われているが、板状物は持ちにくく長い距離を運ぶことは困難であった。短い距離であっても段差のある通路を登り下りする場合や障害物のある通路を運ぶことは困難であった。
特に建築現場で板状物を落としてしまうと、ガラスや襖など運ぶ途中の板状物を破損させてしまうだけでなく、サッシやボードなどを落下させてしまい建築したばかりの新品の床や畳や敷居などに傷をつけてしまうことがあった。
また両手で板状物を持って歩いて移動する姿勢は安定性に欠けるため体の向きが変わりやすく、少し体の向きが変わっただけで板状物の端部は大きく振れてしまい、ガラス窓や自動車などの障害物に板状物が衝突して、板状物と障害物の双方に傷を付けてしまうことがあった。
また両手で板状物を持って移動する途中に取り除き可能な障害物があったときには、手に持っている板状物を一旦下ろして障害物を取り除いた後に、再び板状物を持ち上げて運ぶ必要があった。
特に、積み重ねた状態や立てかけた状態から板状物を持ち上げて反転する作業は困難で、手と板状物との間に相対的な滑りが発生しやすく、反転する途中に手から板状物が滑り落ちることが多かった。
従来には板状物を吊り下げて運ぶ発明として、挾持板と爪体とで挟んで吊り下げる吊下具の発明（例えば、特許文献１参照）があった。しかしこの発明では板状物の上部を挟んで吊り下げるので、板状物が挾持板と爪体との間から落下する危険があった。
【特許文献１】特開平  ７−３００２８９号公報
【発明の開示】
【発明が解決しようとする課題】
【０００３】
本発明は上記した従来技術の欠点を除くためなされたもので、その目的は板状物を１人で持って長い距離を容易に運ぶことを可能にすることにある。
またガラスや襖などの板状物を落としたり、ガラス窓や自動車などの障害物に板状物を接触させることがないようにするために、安定した姿勢で板状物を運ぶことのできる吊下具を提供することにある。
また板状物を片手で支えた姿勢で運ぶことを可能とすることにより、人手により取り除き可能な障害物を他方の手で取り除きつつ、板状物を運び続けることのできる吊下具を提供することにある。
さらに、挾持板と爪体とで挟んで吊り下げる吊下具の発明の有する、挾持板と爪体との間から板状物が落下する問題をなくした吊下具を提供することにある。
【課題を解決するための手段】
【０００４】
概略長方形の受部と受部から短冊状に突き出た２枚の突出部とで切欠部を有する受面を構成し、受部の片方の長辺において受面に対して概略直角に交わる立上部を設け、立上部の上にはベルト穴を有する保持部を設け、受面及び立上部に摩擦係数の高い保護材を取り付けた受具とする。さらに、前記した受具のベルト穴に吊ベルトを取り付けてなる吊下具とする。
そして吊下具の吊ベルトを首や肩から吊り下げ、受具の立上部に取り付けた保護材と受面に取り付けた保護材の先端部との間、又は受具の立上部に取り付けた保護材と受部の下面に取り付けた別の保護材の先端部との間に、板状物の片方の辺部の中央付近を挟んだ状態にして、片方の手の親指以外の指（以下単に「４本指」という。）又は４本指の内の単数又は複数の指（以下単に「人差指等」という。）のいずれかと親指とで板状物と受具を一緒に掴み、他方の手で板状物の他方の辺部の中央部付近を掴み、板状物と受具を持つ片方の手を下側にして他方の手を上側に動かすことにより、板状物の姿勢を９０度反転して板状物の片方の辺部の中央付近の端面を受面に取り付けた保護材の上に載せ、吊下具により板状物を首や肩から吊り下げた状態にして板状物を運ぶ方法とする。
【発明の効果】
【０００５】
本発明により、板状物を首や肩から吊り下げた姿勢で運ぶことが可能になったので、長い距離を１人で楽に無理せず運ぶことが出来るようになった。
また安定した姿勢で板状物を運ぶことのできる吊下具と板状物を運ぶ方法を提供したので、運ぶ途中でガラスや襖などの板状物を落とすことがなくなった。
また片方の手だけを使用することにより板状物を運ぶことが出来るようにしたので、自由になった他方の手で壁や手摺りや障害物などに触れることにより、さらに姿勢を安定させて板状物を運ぶことが出来るようになった。
また板状物を片手だけで支えた姿勢で運ぶことを可能にしたので、運ぶ途中に存在する動かすことが可能な障害物を他方の手で取り除きつつ、板状物を運び続けることが出来るようになった。
また摩擦係数の高い保護材で挟んだ状態で４本指又は人差指等のいずれかと親指とで板状物を掴む構成にしたので、積み重ねた状態や立てかけた状態から板状物を持ち上げて反転するときに、手と板状物との間に相対的な滑りが発生せず、手から板状物が滑り落ちることがなくなった。
さらに受具の受面に取り付けた保護材の上に板状物を載せて運ぶ吊下具としたので、挾持板と爪体とで挟んで吊り下げる吊下具の発明の有する、挾持板と爪体との間から板状物が落下する問題をなくすことができた。
【発明を実施するための最良の形態】
【０００６】
概略長方形の受部と、受部の片方の長辺において受部に対して概略直角に交わる立上部と、受部の他方の長辺において受部から短冊状に突き出た２枚の突出部と、２枚の突出部の先端にそれぞれ設けた滑止部と、立上部の上部に設けた保持部と、保持部に設けたベルト穴とからなる受具本体であって、受部と突出部の上面により受面を構成し、受面は２枚の突出部の間に挟まれた空間である切欠部を有するものとした受具本体とする。
また概略長方形の受部と、受部の片方の長辺において受部に対して概略直角に交わる立上部と、受部の他方の長辺において受部から短冊状に突き出た２枚の突出部と、立上部の上部に設けた保持部と、保持部に設けたベルト穴とからなる受具本体であって、受部と突出部の上面により受面を構成し、受面は２枚の突出部の間に挟まれた空間である切欠部を有するものとした受具本体とする。
受部本体の材質は鉄、ステンレス、アルミ合金、合成樹脂などが好ましい。また製造方法としては板状の材料を折り曲げて製造する方法、板状の材料を溶接して製造する方法、鋳造による方法及び型を使って合成樹脂材を成型する方法などある。従って使用する材料や製造方法については特にこだわるものではない。
保持部と、立上部と、受部及び、突出部をそれぞれ板状の部分とすることが好ましい。受部の長辺の長さでもある受部本体の幅Ｃ、Ｌは９０〜１８０ｍｍが好ましく、短辺の長さでもある奥行きＤ、Ｍは１０〜４０ｍｍとすることが好ましく、２０〜３０ｍｍとすることがさらに好ましい。
立上部は受部の長辺と同じ長さの幅を有するものとし、受部の片方の長辺において受部に対して概略直角に交わるようにする。立上部の高さＧ、Ｒは４０〜１００ｍｍとすることが好ましく、立上部の保持部側の辺は受部の長辺より小さくしてよい。
【０００７】
２枚の短冊状の突出部の幅Ｂ、Ｋはそれぞれ１０〜３０ｍｍとし、突出部の奥行きＥ、Ｎは３０〜５０ｍｍとすることが好ましい。受面に切欠部を設けたのは図９、図１０に示したように切欠部に４本指又は人差指等を挿入して、４本指又は人差指等のいずれかと親指との間に立上部、保護カバ、板状物及び保護シートの先端部若しくは把持シートの先端部を挟んで掴むためである。このため受部の奥行きＤ、Ｍの長さは（板状物の辺部の厚さ＋保護カバの厚さ＋保護シートの厚さ若しくは把持シートの厚さ）より長くしないことが好ましい。
通常の大人の握力を有する作業者が板状物を持って短い距離を運ぶ場合は滑止部の無い受具本体を使用することが可能である。一方握力の弱い作業者が板状物を運ぶ場合や、通常の大人の握力を有する作業者であっても板状物を持って長い距離を運ぶ場合は、滑止部を有する受具本体を使用することが好ましい。
滑止部は受面に取り付けた保護シートの上に載せた板状物の下面が保護シートの上でスライドしながら突出部方向に移動したときに、板状物の下部の移動を止めて板状物が落下することを防止する機能を有するものであればよい。
保持部と立上部とは同一の面を構成するように並べてもよいし、立上部に対して保持部を反受部側に傾斜させてもよい。保持部を傾斜させるとベルト穴に取り付けるベルトと板状物との距離が離れる効果があるが、立上部に取り付ける保護カバの厚さを厚くしても同様の効果が得られるからである。
また、受面から保持部の上端までの高さＨ、Ｓは７０〜１２５ｍｍが好ましい。以上に記載した寸法はいずれも試行錯誤して、使いやすさを追求して得られた好ましい寸法ではあるが、条件により異なるので上記した寸法にこだわることなく、使用状況に合わせて適宜寸法を変更することが好ましい。
【０００８】
また上記した受具本体において受部を２分割し、分割した受部の立上部側を元受部とし、分割した受部の突出部側を先受部とし、元受部と先受部とを回転可能に取り付け、元受部と先受部とが同一の面に並び受部を構成した姿勢において、先受部が元受部に対して反受面側に回転しないように止めるストッパを取り付けた受具本体とする。
元受部と先受部とを回転可能に取り付ける方法には、蝶番を使用する方法や、元受部又は先受部に軸受けを取り付けて軸を回転可能に保持し、軸に先受部又は元受部を取り付ける方法や、複数のコマを元受部と先受部にそれぞれ取り付け、コマに挿入したピンを中心に回転可能に取り付ける方法などがある。このとき元受部と先受部の間に隙間を設けても構わないし、隙間なく構成しても構わない。
元受部と先受部とからなる受部は使用するときには平面を構成するが、使用しないときは先受部側を受面側に回転させて、立上部と先受部とがほぼ平行になるように折りたたむ。このようにして折りたたんだ状態にすると、身に付けるときに邪魔にならず、整理するときに小さなスペースに収まるため好ましい。
また、上記したいずれかの受具本体において、保持部を立上部に対して傾斜させた受具本体とする。保持部を傾斜させるとベルト穴に取り付ける吊ベルトと板状物との間に距離を取ることができ、ベルトに板状物が引っ掛かって作業の邪魔になったり、ベルトが板状物に接触して徐々にすり切れてしまうことがなくなる。
さらに上記したいずれかの受具本体において、立上部の反受部側に引掛部を取り付けた受具本体とする。引掛部は作業者のズボンのベルトやポケットなどに引っ掛けて受具を吊り下げるためのもので、吊下具として使用しないときに受具をベルトやポケットなどに引っ掛けておけば、他の作業に邪魔にならず常に吊下具を携帯することができるため、いつでも必要なときに吊下具として使用することができる効果がある。
【０００９】
上記したいずれかの受具本体と、受部本体の受面と切欠部の両方を覆う保護シートと、受具本体の立上部の受部側の面に取り付けた保護カバとからなる受具とする。保護シートや保護カバは接着剤を使用して受部や立上部に取り付ければよい。
保護シートとしては摩擦係数が高く滑りにくいものであって、板状物に傷を付けないため軟質であって、さらに容易に曲げることのできる程度に軟質なものが好ましく、薄い板状のゴム、合成樹脂、ビニール、布、紙又は皮革などを使用するとよい。また保護シートは受面と切欠部とさらに滑止部を有する場合は滑止部の受面側の面を覆うようにして取り付けることが好ましい。
保護カバとしては摩擦係数が高く滑りにくいものであって、吊り下げる板状物及び運ぶ途中にあるガラス窓、襖、壁及び自動車などの障害物に傷を付けないために軟質なものを使用することが好ましいが、容易に折り曲げることができるほど柔らかい必要はなく、板状のゴム、合成樹脂、ビニール、布、紙又は皮革などを使用するとよい。保護カバは立上部の全面を覆うようにして取り付けてもよいし、立上部の角の部分のみを覆う保護カバとしてもよい。
また上記した受具であって、保護シートを２本の切込を有する保護シートとした受具とする。保護シートに設ける２本の切込は受部本体の切欠部と突出部の境界に沿って設けるとよい。２本の切込を設けた場合は、保護シートと受面の間及び保護シートと滑止部の受面側の面の間に接着剤を塗布して接着することが可能になる。
このように切込を入れると、図１０に示したように切欠部に４本指又は人差指等を挿入して、４本指又は人差指等のいずれかと親指とで立上部、保護カバ、板状物及び保護シートをまとめて挟むときに、保護シートの切欠部の上の部分のみが曲がるからである。
上記したいずれかの受具であって、保護カバをＵ字型に折り曲げた断面を有する保護カバとした受具とする。保護カバをＵ字型に折り曲げたものとして、立上部の両方の端部に取り付けると、立上部の受部側の角だけでなく反受部側の角も覆うことができ、受具の反受部側の角が障害物に触れて相手を傷つけることがなくなるからである。
【００１０】
上記したいずれかに記載した受具本体と、受具本体の受面を覆う保護シートであってシート切欠部を有する保護シートと、受具本体の立上部の受部側の面に取り付けた保護カバと、受部の反受面側に取り付けた把持シートとからなる受具であって、把持シートの先端部をシート切欠部を貫通させて立上部と平行になるように折り曲げたときに、把持シートの先端が受面から２０ｍｍ以上立上部側に出るようにした受具とする。
保護シートとしては摩擦係数が高く滑りにくいものであって、板状物に傷を付けないため軟質なものを使用することが好ましいが、容易に曲げることのできるほど柔らかい必要はなく、板状のゴム、合成樹脂、ビニール、布、紙又は皮革などを使用するとよい。保護シートを受面より少し外にはみ出すサイズにすると受具本体が直接他の物に接触することがなくなるため好ましい。また受具本体が滑止部を有する場合は保護シートで受面と滑止部の受面側の面の両方を覆うようにして取り付けることが好ましい。
保護カバとしては摩擦係数が高く滑りにくいものであって、吊り下げる板状物及び運ぶ途中にあるガラス窓、襖、壁及び自動車などの障害物に傷を付けないために軟質なものを使用することが好ましいが、容易に折り曲げることができるほど柔らかい必要はなく、板状のゴム、合成樹脂、ビニール、布、紙又は皮革などを使用するとよい。保護カバは立上部の全面を覆うようにして取り付けてもよいし、立上部の角の部分のみを覆う保護カバとしてもよい。
把持シートとしては摩擦係数が高く滑りにくいものであって、板状物に傷を付けないため軟質であって、さらに容易に曲げることのできる程度に軟質なものが好ましく、薄い板状のゴム、合成樹脂、ビニール、布、紙又は皮革などを使用するとよい。
把持シートの根元部を受部の下面に取り付け、把持シートの先端部であって板状物を掴むときに板状物に接触する部分となる把持部がシート切欠部の下側に位置するように構成する。
このとき保護シートのシート切欠部の幅Ｔに対して把持シートの把持部の幅Ｕを小さく構成して、把持シートを受面側に折り曲げたときに把持シートの先端部がシート切欠部を貫通して、先端が受面より立上部側に２０〜１００ｍｍ突き出るようにすることが好ましい。２０ｍｍ以上あれば板状物を掴むことが可能であって、１００ｍｍ以上とする必要はないからである。
【００１１】
上記したいずれかの受具と、受具のベルト穴に取り付けた吊ベルトとからなる吊下具とする。吊ベルトを構成するベルトは首や肩に掛けて受具に載せた板状物の重さを吊り下げる能力があればその材質はこだわるものではないが、麻糸、木綿糸、ナイロン糸、合成繊維の糸などで織った厚い布、合成樹脂や皮革などを使用すると好ましい。
またベルトをエンドレスのベルトとすることも好ましいが、止金具を取り付けてベルトの長さを調節可能にした吊ベルトとすると、使用する人の体格に合わせてベルトの長さを調節することができるのでさらに好ましい。
ベルトをベルト穴に通して受具に取り付ける方法が最も簡単な方法であるが、この場合受具のベルト穴に摩擦抵抗の小さな金属や樹脂などの滑り材を取り付けると、ベルトの摩耗を防ぐことができるため好ましい。また吊りベルトにフックなどの吊り具を取り付けてベルト穴に掛ける方法も好ましい。
さらに首や肩に当たる部分に首当てや肩当てなどを取り付けた吊ベルトとして、広い面で板状物の重さを負担する構成にすると、首や肩に局部的な負担をかけることがなく好ましい。
上記した吊下具の吊ベルトを首又は肩から吊し、受具の受面に取り付けた保護シートを板状物の片方の辺部の中央付近に当て、受具の立上面に取り付けた保護カバと受面に取り付けた保護シートとで板上物を挟むようにするか、又は受具の立上面に取り付けた保護カバと把持シートの把持部とで板上物を挟むようにする。
さらに片方の手の４本指又は人差指等のいずれかと親指との間で板状物と受具を一緒に掴み、他方の手で板状物の他方の辺部の中央付近を掴み、板状物と受具を持つ片方の手を下側にして他方の手を上側に動かすことにより、板状物の姿勢を９０度反転して板状物の片方の辺部の中央付近の端面を受面上の保護シートに載せ、吊下具により板状物を首又は肩から吊り下げた状態にして板状物を運ぶ。
本発明では、保護カバと保護シートの間又は保護カバと把持シートの間に板上物を挟むようにして掴むが、保護カバ、保護シート及び把持シートのいずれも摩擦係数が高く滑りにくいため、板状物を反転するときに手から滑り落ちることがなく安全である。
板状物の片方の端部の中央部付近を受具に載せて吊り下げた状態にしたときに、板状物の重心が受具の真上にくるようにすると運ぶときのバランスが良い。このように吊り下げた姿勢では、板状物が転倒しないように片方の手を板状物の上部に置く必要があるが、他方の手は拘束されず自由な状態で板状物を運ぶことができる。
【実施例１】
【００１２】
以下本発明の実施例１を図１〜３に示し説明する。実施例１の吊下具１は受具２と吊ベルト４とからなっている。受具２は受具本体２１に保護シート２２と保護カバ２３、２４を接着剤を使用して取り付けたものである。
受具本体２１は板厚２．３ｍｍの鋼鉄からなるものとした。幅Ｃ＝１２０ｍｍであって奥行きＤ＝２５ｍｍの寸法からなる長方形の受部２１ｄの上面と、幅Ｂ＝１５ｍｍであって奥行きＥ＝３５ｍｍの寸法からなる２枚の短冊状の突出部２１ｅの上面とで受面２１ｈを構成し、２枚の突出部２１ｅに挟まれた幅Ａ＝９０ｍｍであって奥行きＥ＝３５ｍｍの空間である切欠部２１ｆを設けた。
また、突出部２１ｅの先端に折り曲げを設けて１０ｍｍの高さを有する滑止部２１ｇとした。以上のような寸法にすることにより、立上部２１ａから滑止部２１ｇまでの距離Ｆ＝Ｄ＋Ｅ＝６０ｍｍとなった。
受部２１ｄに対して立上部２１ａは直角に折れ曲がり立上部２１ａの高さＧ＝５０ｍｍとした。立上部２１ａの上部において立上部２１ａに対して５度の角度で傾斜させた保持部２１ｂを設け、保持部２１ｂにはベルト穴２１ｃをあけた。受部２１ｄの上面から保持部２１ｂの上端までの高さＨ＝８０ｍｍとした。
保護シート２２は板厚２ｍｍのゴム板を使用し、幅１２０ｍｍ×奥行き７５ｍｍの寸法とし、突出部２１ｅと切欠部２１ｆの境界に合わせて切込２２ａを２本設け、受面２１ｈと滑止部２１ｇの受面側の面に接着剤を使用して取り付けた。
保護カバ２３、２４は板厚２ｍｍのゴム板をＵ字型に折り曲げた断面を有するものとし、立上部２１ａの受部側と反受部側の両方の端部をそれぞれ１５ｍｍの範囲で覆うようにして接着剤で取り付けた。
吊ベルト４はナイロン繊維の糸で織った厚い布のベルト４１からなるものとし、なるべく広い面で肩に当たるようにする肩当て４２と、ベルトの長さを調節可能な構成とするために公知の止金具４３を取り付けた。またベルト４１の先端を折り返した状態にして縫い付けて、これを抜け止め４１ａとして止金具４３から抜けないようにした。
【実施例２】
【００１３】
次に本発明の実施例２を図４〜６に示して説明する。実施例２の受具３は受具本体３１に保護シート２２と保護カバ２３、２４を接着剤を使用して取り付けたものである。
受具本体３１は板厚２．３ｍｍの鋼鉄からなるものとした。幅Ｃ＝１２０ｍｍであって奥行きＤ＝２５ｍｍの寸法からなる長方形の受部３１ｄを元受部３１ｉと先受部３１ｈとからなるものとした。そしてそれぞれ４個の元受側コマ３１ｊと先受側コマ３１ｋを交互に並べて、元受側コマ３１ｊを元受部３１ｉに先受側コマ３１ｋを先受部３１ｈにそれぞれ取り付けた。
また、合計８個の元受側コマ３１ｊと先受側コマ３１ｋを交互に並べた状態にして、中心を貫通する穴を設けてピン３１ｍを取り付けて、元受部３１ｉと先受部３１ｈとが同一の面に並び受面を構成した姿勢から、ピン３１ｍを中心にして先受部３１ｈが元受部３１ｉに対して受面側に回転するようにすると共に、反受面側には回転しないように止めるストッパ３１ｐを取り付けた。
受部３１ｄの上面と、幅Ｂ＝１５ｍｍであって奥行きＥ＝３５ｍｍの寸法からなる２枚の短冊状の突出部３１ｅの上面とで受面を構成し、２枚の突出部３１ｅに挟まれた幅Ａ＝９０ｍｍであって奥行きＥ＝３５ｍｍの空間である切欠部３１ｆを設けた。
また、突出部３１ｅの先端に折り曲げを設けて１０ｍｍの高さを有する滑止部３１ｇとした。以上のような寸法にすることにより、図４に示した使用するときの状態において立上部３１ａから滑止部３１ｇまでの距離Ｆ＝Ｄ＋Ｅ＝６０ｍｍとなった。
元受部３１ｉに対して立上部３１ａは直角に折れ曲がり立上部３１ａの高さＧ＝５０ｍｍとした。立上部３１ａの上部において立上部３１ａに対して５度の角度で傾斜させた保持部３１ｂを設け、保持部３１ｂにはベルト穴３１ｃをあけた。元受部３１ｉの上面から保持部３１ｂの上端までの高さＨ＝８０ｍｍとした。
保護シート２２は実施例１と同一のものを使用し元受部３１ｉの上面に接着剤を使用して取り付けた。保護カバ２３、２４は実施例１と同一のものを使用し、立上部３１ａの受部側と反受部側の両方の端部をそれぞれ１５ｍｍの範囲で覆うようにして接着剤で取り付けた。
また、立上部３１ａの反受部側の面に引掛部３１ｎを取り付けた。このように構成することにより、実施例２の受具３は図５に示したように立上面３１ａに対し先受部３１ｈと突出部３１ｅが平行になるように折りたたむことが可能になり、折りたたんだ後に引掛部３１ｎをズボンのベルトと腰の間に挿入して、受具をベルトに掛ければ手を使わずに持ち歩き可能であり、コンパクトなため邪魔にならない。
【実施例３】
【００１４】
次に本発明の実施例３を図７〜図９に示し説明する。実施例３の受具８は受具本体５１に保護シート５２、保護カバ５３及び把持シート５４を接着剤を使用して取り付けたものである。
受具本体５１は板厚２ｍｍの鋼鉄からなるものとした。幅Ｌ＝１６０ｍｍであって奥行きＭ＝２０ｍｍの寸法からなる長方形の受部５１ｄの上面と、幅Ｋ＝２５ｍｍであって奥行きＮ＝３５ｍｍの寸法からなる２枚の短冊状の突出部５１ｅの上面とで受面５１ｈを構成し、２枚の突出部５１ｅに挟まれた幅Ｊ＝１１０ｍｍであって奥行きＮ＝３５ｍｍの空間である切欠部５１ｆを設けた。
受部５１ｄに対して立上部５１ａは直角に折れ曲がり立上部５１ａの高さＲ＝８０ｍｍとした。立上部５１ａの上部において立上部５１ａに対して５度の角度で傾斜させた保持部５１ｂを設け、保持部５１ｂにはベルト穴５１ｃをあけた。受部５１ｄの上面から保持部５１ｂの上端までの高さＨ＝１０５ｍｍとした。
保護シート５２は板厚３ｍｍのゴム板を使用し、幅方向において受具本体５１より外側に２ｍｍずつはみ出るようにし、また突出部５１ｅより切欠部５１ｆ側に２ｍｍずつはみ出るようにし、さらに奥行き方向において受部５１ｄより切欠部５１ｆ側に２ｍｍずつはみ出でるようにして、受面５１ｈに接着剤を使用して取り付けた。このようにして切欠部５１ｆの上側に切欠部５１ｆより４ｍｍ小さい幅Ｔ＝１０６ｍｍを有するシート切欠部５２ａを設けた。
保護カバ５３は板厚３ｍｍのゴム板を使用し、立上部５１ａの全面及び保持部５１ｂのベルト穴５１ｃより下側の部分の全面を覆うようにし、立上部５１ａや保持部５１ｂから幅方向に２〜３ｍｍずつはみ出るようにして、立上部５１ａと保持部５１ｂに接着剤を使用して取り付けた。
把持シート５４は板厚２ｍｍのゴム板を使用し、受具本体５１から幅方向に２ｍｍずつはみ出る幅を有する根元部５４ｂと、シート切欠部５２ａより６ｍｍ小さな幅Ｕ＝１００ｍｍを有する把持部５４ａとからなるものとした。根元部５４ｂにより受部５１ｄの下面と立上部５１ａの反受部側の下部を覆うようにして接着剤を使用して取り付けた。
本実施例では図９に示したように把持部５４ａを上に折り曲げて、切欠部５１ｆとシート切欠部５２ａを貫通させ把持部５４ａを立上部５１ａと平行にして、保護カバ５３と把持部５４ａの間にアルミサッシ７を挟んで、親指５ａと４本指５ｂとで掴んだときに先端５４ｃが受面５１ｈから高さＶ＝７０ｍｍだけ上側に出るようした。
【実施例４】
【００１５】
次に本発明の吊下具１を使用して、立てかけた状態や横に寝かせた状態のアルミサッシ７を９０度反転させて吊下具１に載せ、１人で運ぶ方法である実施例４について図１０〜１３に示し説明する。
吊ベルト４の肩当て４２を肩に当てて吊下具１を肩から吊し、受具２の受面２１ｈに取り付けた保護シート２２をアルミサッシ７の片方の辺部の中央付近に当て、受具２の立上部２１ａに取り付けた保護カバ２３、２４と受面２１ｈに取り付けた保護シート２２とでアルミサッシ７を挟むようにして、左手５の４本指５ｂと親指５ａとの間でアルミサッシ７と受具２を一緒に掴む。
このとき図１０に示したように親指５ａを受具本体２１の立上部２１ａの反受部側の面に当て、４本指５ｂを下側から受具本体２１の切欠部２１ｆを貫通させて保護シート２２を折り曲げてアルミサッシ７にあてがいながら保護シート２２の外側に４本指５ｂを当てて掴む。このとき保護シート２２には２本の切込２２ａがあるので切欠部２１ｆの上の部分のみが折れ曲がる。
また右手６でアルミサッシ７の他方の辺部の中央付近を掴み、アルミサッシ７と受具２を持つ左手５を下側にして右手を上側に移動させることにより、アルミサッシ７を反転させてその片方の辺部の中央付近の端面を受具２の保護シート２２に載せる。
吊下具１によりアルミサッシ７を肩から吊下げた状態にしてアルミサッシ７を１人で運ぶが、このとき右手６でアルミサッシ７が倒れないように支えるだけで左手５は拘束されず自由な状態でアルミサッシ７を運ぶことができる。
【産業上の利用可能性】
【００１６】
本発明は作業用の道具を製造販売する産業や、ガラス、サッシ、板、ベニヤ板、ボード、トタン板、鉄板、石の板、畳、襖、扉及び引戸などの板状物を製造販売する産業、板状物を取り扱う倉庫や運輸産業、さらには板状物を使用する建築産業などで利用される。
【図面の簡単な説明】
【００１７】
【図１】実施例１の受具の構成を表した斜視図である。
【図２】実施例１の吊下具の構成を表した斜視図である。
【図３】実施例１の受具の側面視の断面図である。
【図４】実施例２の受具の使用するときの状態の側面視の断面図である
【図５】実施例２の受具の折りたたんだ状態の側面視の断面図である。
【図６】図４の底面図である。
【図７】実施例３の受具の構成を表した斜視図である。
【図８】実施例３の受具の側面視の断面図である。
【図９】アルミサッシを左手で掴んだ状態を表した側面視の断面図である。
【図１０】アルミサッシを左手で掴んだ状態を表した側面視の断面図である。
【図１１】垂直に立てかけたアルミサッシを反転する姿を現した背面図である。
【図１２】横に寝かせて置いたアルミサッシを反転する姿を現した側面図である。
【図１３】アルミサッシを運ぶ状態を表した正面図である。
【符号の説明】
【００１８】
１  ：吊下具                  ２  ：受具                  ３  ：受具
４  ：吊ベルト                ５  ：左手                  ５ａ：親指
５ｂ：４本指                  ６  ：右手                  ７  ：アルミサッシ
８  ：受具                  ２１  ：受具本体              ２１ａ：立上部
２１ｂ：保持部                ２１ｃ：ベルト穴              ２１ｄ：受部
２１ｅ：突出部                ２１ｆ：切欠部                ２１ｇ：滑止部
２１ｈ：受面                  ２２  ：保護シート            ２２ａ：切込
２３  ：保護カバ              ２４  ：保護カバ              ３１  ：受具本体
３１ａ：立上部                ３１ｂ：保持部                ３１ｃ：ベルト穴
３１ｄ：受部                  ３１ｅ：突出部                ３１ｆ：切欠部
３１ｇ：滑止部                ３１ｈ：先受部                ３１ｉ：元受部
３１ｊ：元受側コマ            ３１ｋ：先受側コマ            ３１ｍ：ピン
３１ｎ：引掛部                ３１ｐ：ストッパ              ４１  ：ベルト
４１ａ：抜け止め              ４２  ：肩当て                ４３  ：止金具
５１  ：受具本体              ５１ａ：立上部                ５１ｂ：保持部
５１ｃ：ベルト穴              ５１ｄ：受部                  ５１ｅ：突出部
５１ｆ：切欠部                ５１ｈ：受面                  ５２  ：保護シート
５２ａ：シート切欠部          ５３  ：保護カバ              ５４  ：把持シート
５４ａ：把持部                ５４ｂ：根元部                ５４ｃ：先端
【図１】
2008087961.tif 000003
【図２】
2008087961.tif 000004
【図３】
2008087961.tif 000005
【図４】
2008087961.tif 000006
【図５】
2008087961.tif 000007
【図６】
2008087961.tif 000008
【図７】
2008087961.tif 000009
【図８】
2008087961.tif 000010
【図９】
2008087961.tif 000011
【図１０】
2008087961.tif 000012
【図１１】
2008087961.tif 000013
【図１２】
2008087961.tif 000014
【図１３】
2008087961.tif 000015